(57)【要約】【課題】変速操作装置と変速機との相対位置が異なる車種においても、ブラケットを共通化させつつシフトレバーの操作力を操作ワイヤの動作に効率よく変換させることができる車両用変速操作装置を提供する。【解決手段】運転者が回動操作可能なシフトレバー２と、シフトレバー２を回動自在に保持するブラケット３と、シフトレバー２と車両に搭載された変速機Ｋとを連結する操作ワイヤＷａと、操作ワイヤＷａの外周を覆うアウタチューブ（Ｗｂ１、Ｗｂ２、Ｗｂ３）と、アウタチューブを所定部位に固定させる固定部４とを具備し、シフトレバー２の回動操作に伴って操作ワイヤＷａを動作させ変速機Ｋを操作し得る車両用変速操作装置１において、シフトレバー２の操作ワイヤＷａとの接続部２ａと固定部４との間に配設されるとともに、操作ワイヤＷａの延設方向を任意方向に変換可能な変換手段５を備えたものである。【選択図】図１
2015193285.tif 000002
【特許請求の範囲】
【請求項１】
運転者が回動操作可能なシフトレバーと、
該シフトレバーを回動自在に保持するブラケットと、
前記シフトレバーと車両に搭載された変速機とを連結する操作ワイヤと、
該操作ワイヤの外周を覆うアウタチューブと、
該アウタチューブを所定部位に固定させる固定部と、
を具備し、前記シフトレバーの回動操作に伴って前記操作ワイヤを動作させ前記変速機を操作し得る車両用変速操作装置において、
前記シフトレバーの前記操作ワイヤとの接続部と前記固定部との間に配設されるとともに、前記操作ワイヤの延設方向を任意方向に変換可能な変換手段を備えたことを特徴とする車両用変速操作装置。
【請求項２】
前記変換手段は、前記シフトレバーの軸線を挟んで前記接続部とは反対側に配設されたことを特徴とする請求項１記載の車両用変速操作装置。
【請求項３】
前記変換手段は、前記操作ワイヤを支持しつつ前記シフトレバーの回動操作に伴う動作に応じて回転可能な滑車部を有することを特徴とする請求項１又は請求項２記載の車両用変速操作装置。
【請求項４】
前記変換手段は、前記固定部に向かって延設される操作ワイヤの延設方向を任意に変更することで当該操作ワイヤの延設方向を任意方向に変換可能とされたことを特徴とする請求項１〜３の何れか１つに記載の車両用変速操作装置。
【発明の詳細な説明】
【技術分野】
【０００１】
本発明は、シフトレバーの回動操作に伴って操作ワイヤを動作させることにより車両が搭載する変速機を操作し得る車両用変速操作装置に関するものである。
【背景技術】
【０００２】
車両に搭載される変速機（特に、オートマチックトランスミッション）と変速操作装置のシフトレバーとを連結し、当該シフトレバーの操作を変速機に伝達して変速のための任意動作を行わせる操作ワイヤは、通常、アウタチューブ内に挿通されており、シフトレバーの回動操作に伴って動作（押し引き動作）されるようになっている。また、通常の変速操作装置は、例えば特許文献１にて開示されているように、シフトレバーを回動自在に支持するブラケットを有しており、当該ブラケットの所定部位にアウタチューブを固定させる固定部（ソケット）が固定されるようになっている。
【先行技術文献】
【特許文献】
【０００３】
【特許文献１】特開２００２−３０７９６７号公報
【発明の概要】
【発明が解決しようとする課題】
【０００４】
しかしながら、上記従来技術においては、以下の如き問題があった。
車両における変速操作装置及び変速機は、その配設位置が車種によって種々異なる場合が多く、当該変速操作装置と変速機とを連結する操作ワイヤの延設方向も車種に応じて種々異なってしまうことがある。例えば、変速機が車両の同等の位置に配設されていても、変速操作装置がシート横のフロアに設置されるものとインパネに配設されるものとでは、操作ワイヤの延設方向が著しく相違してしまう。
【０００５】
すなわち、シフトレバーの操作力を操作ワイヤの動作に効率よく変換するためには、例えばシフトレバーがＮレンジにあるとき、シフトレバーの回動中心と操作ワイヤの接続部とを結ぶ直線と、操作ワイヤと変速機とを結ぶ直線との間の角度を９０°に近づける必要があることから、変速操作装置と変速機との相対位置が異なる車種毎にシフトレバーにおける操作ワイヤとの接続部の位置とブラケットにおける固定部を固定させる位置（シフトレバー及びブラケットの両方の形状）を変更する必要があった。
【０００６】
しかして、操作ワイヤの延設方向が相違する場合、シフトレバーの操作力を操作ワイヤの動作（押し引き動作）に効率よく変換して変速機に伝達するためには、変速操作装置と変速機との相対位置が異なる車種毎にシフトレバー及びブラケットの両方の形状を大幅に変更せざるを得ないことがあり、車種毎に別々の型等を必要として製造コストが嵩んでしまうという不具合があった。
【０００７】
本発明は、このような事情に鑑みてなされたもので、変速操作装置と変速機との相対位置が異なる車種においても、固定部が固定される部品以外の部品を共通化させつつシフトレバーの操作力を操作ワイヤの動作に効率よく変換させることができる車両用変速操作装置を提供することにある。
【課題を解決するための手段】
【０００８】
請求項１記載の発明は、運転者が回動操作可能なシフトレバーと、該シフトレバーを回動自在に保持するブラケットと、前記シフトレバーと車両に搭載された変速機とを連結する操作ワイヤと、該操作ワイヤの外周を覆うアウタチューブと、該アウタチューブを所定部位に固定させる固定部とを具備し、前記シフトレバーの回動操作に伴って前記操作ワイヤを動作させ前記変速機を操作し得る車両用変速操作装置において、前記シフトレバーの前記操作ワイヤとの接続部と前記固定部との間に配設されるとともに、前記操作ワイヤの延設方向を任意方向に変換可能な変換手段を備えたことを特徴とする。
【０００９】
請求項２記載の発明は、請求項１記載の車両用変速操作装置において、前記変換手段は、前記シフトレバーの軸線を挟んで前記接続部とは反対側に配設されたことを特徴とする。
【００１０】
請求項３記載の発明は、請求項１又は請求項２記載の車両用変速操作装置において、前記変換手段は、前記操作ワイヤを支持しつつ前記シフトレバーの回動操作に伴う動作に応じて回転可能な滑車部を有することを特徴とする。
【００１１】
請求項４記載の発明は、請求項１〜３の何れか１つに記載の車両用変速操作装置において、前記変換手段は、前記固定部に向かって延設される操作ワイヤの延設方向を任意に変更することで当該操作ワイヤの延設方向を任意方向に変換可能とされたことを特徴とする。
【発明の効果】
【００１２】
請求項１の発明によれば、シフトレバーの操作ワイヤとの接続部と固定部との間に配設されるとともに、操作ワイヤの延設方向を任意方向に変換可能な変換手段を備えたので、車両用変速操作装置と変速機との相対位置が異なる車種においても、固定部が固定される部品以外の部品を共通化させつつシフトレバーの操作力を操作ワイヤの動作に効率よく変換させることができる。
【００１３】
請求項２の発明によれば、変換手段は、シフトレバーの軸線を挟んで接続部とは反対側に配設されたので、車両用変速操作装置の前後方向の寸法を小さくして小型化を図ることができる。
【００１４】
請求項３の発明によれば、変換手段は、操作ワイヤを支持しつつシフトレバーの回動操作に伴う動作に応じて回転可能な滑車部を有するので、シフトレバーの回動操作に伴う操作ワイヤの動作を確実且つ円滑に変速機に伝達させることができる。
【００１５】
請求項４の発明によれば、変換手段は、固定部に向かって延設される操作ワイヤの延設方向を任意に変更することで当該操作ワイヤの延設方向を任意方向に変換可能とされたので、変換手段による操作ワイヤの延設方向の変換をより容易且つ確実に行わせることができる。
【図面の簡単な説明】
【００１６】
【図１】本発明の実施形態に係る車両用変速操作装置を示す正面図
【図２】同車両用変速操作装置における変換手段（操作ワイヤがａ方向に延設した状態）を示す斜視図
【図３】同車両用変速操作装置における変換手段（操作ワイヤがａ方向に延設した状態）を示す正面図
【図４】同車両用変速操作装置における変換手段（操作ワイヤがｂ方向に延設した状態）を示す斜視図
【図５】同車両用変速操作装置における変換手段（操作ワイヤがｂ方向に延設した状態）を示す正面図
【図６】同車両用変速操作装置における変換手段を示す分解斜視図
【図７】他の形態のブラケットに変換手段（操作ワイヤがｂ方向に延設した状態）を取り付けた状態の車両用変速操作装置を示す正面図
【発明を実施するための形態】
【００１７】
以下、本発明の実施形態について図面を参照しながら具体的に説明する。
本実施形態に係る車両用変速操作装置１は、図１に示すように、シフトレバー２と、ブラケット３と、操作ワイヤＷａと、アウタチューブＷｂ１、Ｗｂ２と、固定部４と、変換手段５とを有し、シフトレバー２の回動操作に伴って操作ワイヤＷａを動作させることにより車両が搭載する変速機Ｋ（オートマチックトランスミッション）を操作し得るものである。
【００１８】
シフトレバー２は、先端に操作ノブ２ｂが取り付けられ、当該操作ノブ２ｂを運転者が把持しつつブラケット３に対して回動操作可能なもので、その基端部には操作ワイヤＷａの端部を接続するための接続部２ａが形成されている。しかして、シフトレバー２を任意の位置（例えば、Ｐレンジ、Ｄレンジ、Ｒレンジ等の位置）まで回動操作（図１中矢印方向の回動操作）すると、その位置に応じた変速機Ｋの操作が可能とされているのである。なお、図中符号Ｌは、シフトレバー２の長手方向における軸線を示している。
【００１９】
ブラケット３は、所望材料の成形品から成り、シフトレバー２を回動自在に保持するためのもので、車両の所定位置（車両のフロアやインパネ等）に固定されるよう構成されている。なお、かかるブラケット３は、車両との固定用のボルトを挿通させるための複数のボルト孔やシフトロック機構を構成するソレノイド等を配設するためのリブ等所望機能を果たす形状が造り込まれて形成されている。
【００２０】
操作ワイヤＷａは、シフトレバー２と車両に搭載された変速機Ｋとを連結するためのもので、図１、２に示すように、基端（シフトレバー２側の端部）に接続金具Ａが固定されている。かかる接続金具Ａは、シフトレバー２の所定位置に形成された接続部２ａにボルトＢ（図１参照）にて締結固定されるようになっている。また、操作ワイヤＷａは、その外周がアウタチューブ（Ｗｂ１、Ｗｂ２、Ｗｂ３）にて覆われており、当該アウタチューブ（Ｗｂ１、Ｗｂ２、Ｗｂ３）内において長手方向に移動可能とされている。
【００２１】
固定部４は、アウタチューブ（Ｗｂ１、Ｗｂ２、Ｗｂ３）を所定部位に固定させるための所謂「ソケット」と称されるもので、本実施形態においては、アウタチューブＷｂ２をブラケット３の被固定部位３ａに固定可能とされている。しかして、操作ワイヤＷａは、先端が変速機Ｋに、基端がシフトレバー２の接続部２ａにそれぞれ接続されるとともに、固定部４が位置する部位において、アウタチューブＷｂ２を介してブラケット３に支持されているのである。
【００２２】
ここで、本実施形態に係る変換手段５は、ブラケット３の所定部位におけるシフトレバー２の操作ワイヤＷａとの接続部２ａと固定部４との間に固定されて配設されるとともに、操作ワイヤＷａの延設方向を任意方向に変換可能なもので、図２〜６に示すように、円筒状の第１ケース部６と、該第１ケース部６と組み合わせ可能な第２ケース部７と、第１ケース部６及び第２ケース部７の内部に収容可能な円板状の滑車部８とを有して構成されている。
【００２３】
第１ケース部６及び第２ケース部７は、各中心部にボス部Ｌａ、Ｌｂが一体形成されているとともに、滑車部８の中心には中心孔８ａが形成されている。また、第１ケース部６にはアウタチューブＷｂ１が延設されるとともに、第２ケース部７にはアウタチューブＷｂ２が延設されており、これらアウタチューブＷｂ１、Ｗｂ２に操作ワイヤＷａが挿通し得るようになっている。
【００２４】
具体的には、アウタチューブＷｂ１は、第１ケース部６の所定部位からシフトレバー２の接続部２ａに向かって所定寸法形成されたもので、アウタチューブＷｂ２は、第２ケース部７の所定部位から固定部４まで形成されたものである。なお、アウタチューブＷｂ３は、固定部４から変速機Ｋまで形成されたものである。これにより、操作ワイヤＷａは、シフトレバー２の接続部２ａからアウタチューブＷｂ１に至り、そのアウタチューブＷｂ１から第１ケース部６及び第２ケース部７の内部に至った後、アウタチューブＷｂ２から固定部４の位置まで延設され、変速機Ｋに接続されることとなる。
【００２５】
しかるに、第１ケース部６及び第２ケース部７の間に滑車部８を介在させつつ当該第１ケース部６と第２ケース部７を組み合わせると、これら第１ケース部６及び第２ケース部７内に滑車部８を収容させつつ当該滑車部８の中心孔８ａにボス部Ｌａ、Ｌｂが挿通し得るようになっている。しかして、滑車部８は、第１ケース部６及び第２ケース部７内において、ボス部Ｌａ、Ｌｂを中心として回転自在とされるとともに、その外周面８ｂに操作ワイヤＷａを当接させて支持させ得るようになっている。これにより、滑車部８は、操作ワイヤＷａを支持しつつシフトレバー２の回動操作に伴う動作に応じて回転可能とされているのである。
【００２６】
さらに、第１ケース部６の側面には、範囲αに亘って開口した切欠き６ａが形成されており、当該第１ケース部６及び第２ケース部７を組み合わせた際、当該切欠き６ａの範囲α内にアウタチューブＷｂ２を任意位置させることができる。すなわち、変換手段５から変速機Ｋまで操作ワイヤＷａをａ方向に延設させる場合（図１参照）、図２、３に示すように、第１ケース部６に対する第２ケース部７の回転方向の位置決めを任意に行うことで、ａ方向にアウタチューブＷｂ２を指向させるとともに、変換手段５から変速機Ｋまで操作ワイヤＷａをｂ方向に延設させる場合（図７参照）、図４、５に示すように、第１ケース部６に対する第２ケース部７の回転方向の位置決めを変更することで、ｂ方向にアウタチューブＷｂ２を指向させることができるのである。
【００２７】
上記のように、本実施形態に係る変換手段５は、固定部４に向かって延設される操作ワイヤＷａの延設方向を任意に変更することで当該操作ワイヤＷａの延設方向を任意方向に変換可能とされている。したがって、本実施形態によれば、シフトレバー２の操作ワイヤＷａとの接続部２ａと固定部４との間に配設されるとともに、操作ワイヤＷａの延設方向を任意方向に変換可能な変換手段５を備えたので、車両用変速操作装置１と変速機Ｋとの相対位置が異なる車種においても、固定部４が固定される部品以外の部品を共通化させつつシフトレバー２の操作力を操作ワイヤＷａの動作に効率よく変換させることができる。
【００２８】
また、本実施形態に係る変換手段５は、図１（或いは図７）に示すように、シフトレバー２の軸線Ｌを挟んで接続部２ａとは反対側に配設されている。これにより、車両用変速操作装置１の前後方向（シフトレバー２の回動方向）の寸法を小さくして小型化を図ることができる。すなわち、本実施形態によれば、変換手段５によって操作ワイヤＷａの延設方向を変換することにより車両用変速操作装置１と変速機Ｋとの相対位置が異なる車種に対応できることから、接続部２ａを操作ワイヤＷａの延設方向に影響されずに設定することができ、シフトレバー２の軸線Ｌに対して変換手段５とは反対側の位置に設定することができる。これにより、接続部２ａがシフトレバー２の後方（固定部４が固定される反対側）に位置する分、車両用変速操作装置１の前後方向の寸法を小さくして小型化できるのである。
【００２９】
さらに、本実施形態に係る変換手段５は、操作ワイヤＷａを支持しつつシフトレバー２の回動操作に伴う動作に応じて回転可能な滑車部８を有するので、シフトレバー２の回動操作に伴う操作ワイヤＷａの動作を確実且つ円滑に変速機Ｋに伝達させることができる。またさらに、本実施形態に係る変換手段５は、固定部４に向かって延設される操作ワイヤＷａの延設方向を任意に変更することで当該操作ワイヤＷａの延設方向を任意方向に変換可能とされたので、変換手段５による操作ワイヤＷａの延設方向の変換をより容易且つ確実に行わせることができる。
【００３０】
以上、本実施形態について説明したが、本発明はこれに限定されず、例えば固定部４がブラケット３以外の部位に固定されるもの、或いは変換手段５が接続部２ａと同じ側に配設されたもの等であってもよい。また、本実施形態に係る変換手段５は、操作ワイヤＷａを支持しつつシフトレバー２の回動操作に伴う動作に応じて回転可能な滑車部８を有しているが、シフトレバー２の操作ワイヤＷａとの接続部２ａと固定部４との間に配設されるとともに、操作ワイヤＷａの延設方向を任意方向に変換可能なものであれば、滑車部８を有さない他の形態のものであってもよい。
【産業上の利用可能性】
【００３１】
シフトレバーの操作ワイヤとの接続部と固定部との間に配設されるとともに、操作ワイヤの延設方向を任意方向に変換可能な変換手段を備えた車両用変速操作装置であれば、外観形状が異なるもの或いは他の機能が付加されたもの等にも適用することができる。
【符号の説明】
【００３２】
１    車両用変速操作装置
２    シフトレバー
３    ブラケット
４    固定部
５    変換手段
６    第１ケース部
７    第２ケース部
８    滑車部
Ｗａ  操作ワイヤ
Ｗｂ１、Ｗｂ２、Ｗｂ３  アウタチューブ
【図１】
2015193285.tif 000003
【図２】
2015193285.tif 000004
【図３】
2015193285.tif 000005
【図４】
2015193285.tif 000006
【図５】
2015193285.tif 000007
【図６】
2015193285.tif 000008
【図７】
2015193285.tif 000009